(57)【要約】  支持体は、上面に複数の溝が形成されたボードを備えている。移動できる制御装置、ペダル、及び類似の機器をボード上に取り付けるために、それらの溝に沿って複数の取付けブラケットを固定できる。これにより、ブラケットを予め前記ボードの溝の所望の位置に固定しておき、次いで、ブラケットの備える取付け手段によって制御装置及びペダルをそれらブラケットに位置決めすることで、異なる制御装置を取り付けられる。ボードの溝はその上縁に沿ってフランジを有しており、ブラケットの取付け部材を保持する。
2017518535.tif 000002
【特許請求の範囲】
【請求項１】
電子楽器等に用いる制御装置のための、取付け用の複数の溝を備えてなる調節可能な支持構造体において、
ボードを備え、
該ボードの上面に複数の平行な溝が設けられ、これらの溝に沿って、持ち運び可能な前記制御装置、ペダル、及び類似の装置を前記ボード上に固定するための複数のブラケットが固定され、
前記ボードの前記溝の所望位置への前記ブラケットの先行取付け、並びに、それに続く、該ブラケットの取付け部材による前記制御装置及びペダルの前記ブラケットへの固定位置決めによって、異なる制御装置を取り付けることができる、支持構造体。
【請求項２】
請求項１記載の支持構造体において、前記ボードの前記溝は、該溝の上縁に沿って、前記ブラケットの取付け部材を保持するためのフランジを備える、支持構造体。
【請求項３】
請求項１又は２記載の支持構造体において、前記取付けブラケットは、前記ボード上で移動可能なベースを有して構成され、該ベースは、前記制御装置を取り付けるための部材を保持した垂直アームを備えており、前記ブラケットを前記ボードの前記溝の所望位置に取り付け可能とされた、支持構造体。
【請求項４】
請求項１ないし３の何れか一項記載の支持構造体において、前記ブラケットの前記取付け部材は、該ブラケットの前記ベースに設けられた開口に挿入可能なラグを有して構成され、該ラグには細長い下部ヘッドが設けられており、該下部ヘッドは、一の位置では前記ボードの何れの溝内にも挿入可能とされ、かつ、自身の軸線回りに回転させた後には前記フランジによって前記溝内に保持される、支持構造体。
【請求項５】
請求項４記載の支持構造体において、前記取付け部材が９０°回転される、支持構造体。
【請求項６】
請求項４記載の支持構造体において、前記ブラケットの前記取付け部材の前記ラグがネジ部を有し、かつ、前記ボードの何れかの溝の選択位置に固定すれために刻み付きナットを受け入れることが可能とされている、支持構造体。
【請求項７】
請求項１記載の支持構造体において、前記取付け部材が吸盤である、支持構造体。
【発明の詳細な説明】
【技術分野】
【０００１】
本発明は、例えばエレキギター等の電子楽器に使用されるペダルあるいはそれに類似した制御装置のための調節可能な支持構造体に関する。
【背景技術】
【０００２】
本発明による電子楽器向けの制御装置及びペダルのための支持構造体は、同様の目的で提供されている装置の有している、現在知られている欠点の一つを解消することを目的とする。
【０００３】
現在知られている調節可能な支持構造体は下記の如き特徴的な複雑な構造を有している。すなわち、種々の細長い押出形状物がボルト・ナットのシステムによって取り付けられている。これらのボルト・ナットは、前記の細長形状物内の複数のガイド内に収容されている。各細長形状物は、ギターあるいは類似の楽器といった電気楽器を制御するための前記電子装置及びペダルを受けるための上面を提供している。
【発明の概要】
【発明が解決しようとする課題】
【０００４】
本発明の目的は、極めて単純でかつ使用上の柔軟性に富み、使用者が、種々の装置を設置する位置において、それら装置を短時間で組立てかつそれらを簡単に調節することができる、調節可能な支持構造体を提供することである。
【０００５】
従って、調節可能な特徴は、前記電子制御装置及びペダル、並びに、奏者が演奏中に使用する前記制御ペダルを特定の方法で支持するための前記支持構造体（一般に「ペダルボード」として知られる）の傾斜にまで及ぶ。  
【課題を解決するための手段】
【０００６】
本発明の支持構造体は、上面に平行な溝を複数備えたボードを主体に構成され、前記溝は、動かすことのできる複数の取付けブラケットを受け入れることが可能に形成されている。前記ブラケットには、例えば吸盤といった、複数の前記電子制御装置及びペダルを取り付けるための要素が設けられ、該取付け要素によって、種々の装置及びペダルを前記ボードの適正な位置に非常に簡単に取り付けられる。動かすことのできる前記ブラケットを相応しい位置に配置し、かつ前記電子装置及びペダルを前記ボード上でスライドさせ、前記ブラケットの前記吸盤あるいは他の保持要素によってそれらを取り付けることを簡単に行える。
【０００７】
随意、前記ボードは、その下面に複数の細長い溝を備え、それらの溝を、他のタイプの部品を取り付けるのに用いるようにしても良い。
【０００８】
本発明の調節可能な支持構造体のボードは、限定されはされないが、好ましくは、一体ものである合成材料、あるいは例えばアルミニウムといった金属材料から作成される。該ボードは上面に互いに平行な複数の溝を有し、これら溝の縁部には、前記溝に沿った所定の位置に前記ブラケットのベースを保持するためのフランジが設けられ、これによって、前記ブラケットの、つまりは前記前記電子楽器用の前記電子装置及びペダルの取り付け位置を該ボードの任意の位置に位置決めできる。
【０００９】
前記取付けブラケットの個々のものは、好ましくは、前記調節可能な支持構造体の前記ボードの複数の前記溝に沿って動ける小さな直角形状をしており、該ボードの何れかの溝内の所望の位置に取り付けるための手段を有している。この取付け手段は、キーの形状をした小さな回転部を備えている。この回転部は前記溝内に挿入できる位置ともう一つの位置、すなわち、例えば９０°回転させることで、前記溝が自身の上縁に有する前記フランジと協働して該取付け手段を前記溝内で保持する位置と、をとることができる。
【００１０】
前記ブラケットが備える、前記電子制御装置、ペダル、及びその他の装置を保持するため手段は、好ましくは、吸盤である。これら吸盤を備えるブラケットが所望の位置に固定された後は、これら吸盤が、前記制御装置又はペダルを容易に保持又は適合する。
【００１１】
理解されるように、本発明の基本的なコンセプトはボードの構成にある。このボードは、縁部にフランジを有した複数の細長い溝を有し、これら溝に、該溝に沿って動くことのできる複数のブラケットが組み合わされる。これらブラケットは、前記溝内の所望置に取り付ける手段と、前記制御装置及びペダルを保持又は維持するための別の手段とを備える。ブラケットの実際の詳細は、本発明の特徴を外れない限り変更可能である。
【００１２】
好ましい実施形態においては、これらの保持ブラケットは、直角に曲げられた本体を有し、一方の側は、選択された前記溝に沿って前記ボード上をスライドするように構成され、かつ前記溝に沿ってこれを取付けのための手段を有する。該手段は、上述したように、回転キー形状の一部を成しており、この回転キーは、前記溝内に挿入される位置と、所定角度、例えば９０°回転させた後前記溝内に保持される交差位置を有する。この調節可能な支持構造体の前記ボードに取り付けられるべき前記制御装置又はペダルを取り付ける手段は、これに限定にされるものではないが、前記ブラケットにおける前記ボードに対して直角となる側に取り付けた吸盤とすることができる。
【００１３】
さらなる理解の為、添付の図面に、本発明による、電気的又はその他の楽器のための制御装置、ペダル、及び類似装置のための調節可能な支持構造体を説明する一例を示す。
【図面の簡単な説明】
【００１４】
【図１】本発明による調節可能な支持構造体の一実施形態を二重ブラケットと共に示す斜視図である。
【図２】複数の単一ブラケットによる電子制御装置の取付け状態を示す、本発明の調節可能な支持構造体のボード部分の斜視図である。
【図３】本発明による可動取付けブラケットを示す斜視図である。
【図４】取付けブラケットの、調節可能な支持構造体のボード上への取付け状態を一部断面で示す斜視図である。
【図５】分解されたブラケットの各部材と、それらの本発明による調節可能な支持構造体のボードに対する位置を示す斜視図である。
【発明を実施するための形態】
【００１５】
添付の図に示すように、調節可能な支持構造体１は、好ましくは一体物とされたボードを備える。該ボードには複数の溝、例えば溝２，２′，２′′が設けられている。これらの溝は、図４及び図５に示すように、互いに平行であり、かつ該溝の縁部に沿って溝内に延びる長手方向のフランジ３，４が形成されている。図示しないが、前記ボードは、閉塞のために側部を備えていてもよく、その場合、その端縁によって該ボードが画定される。
【００１６】
前記ボードの製作に用いられる材料は、本発明によって意図された機能を満足するのであれば何れのものでよく、非限定的な例としては、硬度及び機械的強度に関して適正な特性を備えたプラステック材料、あるいは、アルミ合金といった押出し加工容易な材料であってよい。
【００１７】
該ボードは、従来品もそうであったように、該ボードの角度を調節するための底部高さ調節止め具（図示せず）を有していてもよい。
【００１８】
図１は、一例として制御装置５，６の配置を示している。これらの制御装置５，６は、電気またはその他のタイプの楽器の機能的特性を制御及び調節するための調節ペダル又はその他の機器であってもよい。前記ボードの上面全体にわたり延在する前記溝２，２′，２′′の配置により、電子的及び他のタイプの前記制御装置５，６は、該調節可能な支持構造体のボードの上面の所望の位置に固定することが可能となる。これら装置は、前記溝２，２′，２′′に沿って可動とされた複数のブラケットによって所望位置に取り付けられる。図１は、一つのベース１０及び２つの垂直アーム８，９を有したダブルタイプのブラケット７の一例を示す。前記ベース１０は、以下でより詳細に説明するように、長く伸びた溝２，２′，２′′の一つの内部に、取付け用の装置を担持しており、かつ、前記垂直アームの各々は前記装置５，６の取付けのためエレメント、例えば吸盤あるいは類似の装置を担持している。
【００１９】
取付け用ブラケットは、図１に示すようなダブルタイプのもの、あるいは図２ないし図５に示すようなシングルタイプのものとできる。図２ないし図５において符号１１で示すシングルブラケットは、ベース１２を有する。ベース１２は、該調節可能な支持構造体の前記ボード上に配され、かつ、図１に示した前記ブラケットと同様の配置とされた一つの垂直アーム１３を有する。該ベース１２は、該ボードのいくつかの細長い溝の一つの何れかの位置に固定するための手段を有している。一方、垂直アームは、装置又はペダルを該調節可能な支持構造体のボード上の所望位置に取り付けるための部材を有している。
【００２０】
図２は、ブラケット１３，１５，１６といった複数の単一ブラケットによる、制御装置１４の取付けを示している。用いられるブラケットの数は、取り付ける装置の寸法及び重量に応じて変わることに留意すべきである。
【００２１】
図３は前記シングルブラケット１１を詳細に示す。ネジ付きラグ１７に細長い下部ヘッド１８が設けられ、該下部ヘッドが前記ラグ１７と共に一種のキーを形成する。前記ラグ１７は前記ベース１２を貫通しており、図５に示すように一つの位置では、ボードの選択された溝内に容易に挿入されるよう、一方、前記ラグ１７を例えば９０°回転させることによって前記ヘッド１８は図４に示すような配置となる。図４に示す位置では、該ブラケット１１が挿入された溝を形成している細長いフランジ１９，２０の存在によって、該ヘッド１８は動くことができないことが見て取れる。該ブラケットは、前記ネジ付きラグ１７に取り付けられた、例えば刻み付きナット２１によって、該ボードの前記溝の必要な位置に取り付けられる。このため、ブラケットを前記細長溝の必要な場所に取り付けることは非常に容易であり、このことは、該ブラケットが、前記電子装置を必要な位置で受けるための所定位置に設置されることを意味する。該ブラケットは、前記電子装置を取り付けるため、該ブラケット１１の前記垂直側部１３に取り付けられた、例えば吸盤２２といったような、種々の手段を備えることができる。しかしながら、前記吸盤装置は、前記制御装置、ペダル、あるいは他の要素を取り付けるためにブラケット１１に取り込むことのできる唯一の装置ではない。何故なら、前記要素は異なる多くの形態を採り得るからである。
【００２２】
同様に、取付けブラケット１１は、曲げられた打ち抜き形状物として、あるいは、例えばプラスチック材料の成形部品として製造することができる。図示例のブラケットは、打ち抜いて曲げられた金属から成るものとされ、オプションとして、ガイドフィンガ２３を備えている。該ガイドフィンが２３は、前記ボードの対応する溝内に挿入される。ブラケットを成形により得る場合には、同様の構造とすることができ、かつ、該ブラケットをガイドするための延長フィンガを有していてもよく、また、取付け装置の前記ラグあるいは「キー」、並びに、吸盤からなる取付け要素２２又はその他の取付け要素を取り込むための開口を複数備えていてもよい。
【００２３】
図５に示すように、前記ラグ１７及び前記下部ヘッド１８により構成されたブラケット取付け用部材は、選択された溝の所望の点に位置させることができる。その位置で、通常は細長い形状を有する前記ヘッド１８は、前記溝２′内に入り、かつ所定角度回転された後には、実質的に該溝内から離脱できないものとなる。この構成が達成されると、該ブラケットの角度を付けられたこの部材は、前記ラグ１７を前記ベース１２の前記開口２４内に挿入しかつ前記刻み付きナット２１で固定することにより、組み込まれる。刻み付きナット２１は、その溝付きヘッド内にドライバを適用することでも取り付けられる。本発明のこのような構成により、調整可能な支持構造体のボード上に、どのような制御装置も迅速かつ容易に取り付けることが可能となる。
【００２４】
当業者は、明細書及び添付図面から導かれる教示に従って本発明の調節可能な支持構造体の構成要素を変更することが可能であり、かつそれらの変更は、特許請求の範囲に記載される技術的範囲に属するものである限り本発明の技術的範囲内に入るものであることが理解されるべきである。
【符号の説明】
【００２５】
１  調節可能な支持構造体
２，２′，２′′ 溝
３，４  フランジ
５，６  制御装置
１２  ベース
１３，１５，１６  ブラケット
１７  ラグ
１８  下部ヘッド
１９，２０  フランジ
２２  吸盤
２３  ガイドフィンガ
【図１】
2017518535.tif 000003
【図２】
2017518535.tif 000004
【図３】
2017518535.tif 000005
【図４】
2017518535.tif 000006
【図５】
2017518535.tif 000007
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
電子楽器、ペダル、あるいはその他の機器のための制御装置のための、調節可能な支持構造体であって、
該支持構造体の上面に複数の平行な取付け溝を備えたボードと、
複数のブラケットと、
を備え、
前記ブラケットの各々が、該ブラケットを各前記複数の平行な取付け溝内の所望位置に固定するための留め具を備え、これらブラケットは、複数の前記ブラケットの各々に結合された取付け部材によって前記制御装置、ペダル、あるいはその他の機器を前記ボード上に取り付けるよう構成されてなる、調節可能な支持構造体。
【請求項２】
請求項１記載の調節可能な支持構造体において、複数の前記平行な取付け溝の各々が、該溝の上縁に沿って、前記留め具を保持するためのフランジを備える、調節可能な支持構造体。
【請求項３】
請求項２記載の調節可能な支持構造体において、複数の前記ブラケットのそれぞれが、
前記ボード上で移動可能なベースと、
前記制御装置を取り付けるための前記取付け部材を備えた垂直アームと、
を備える、調節可能な支持構造体。
【請求項４】
請求項３記載の調節可能な支持構造体において、前記取付け部材は、前記ベースに設けられた開口に挿入されたラグと、細長い下部ヘッドとを備え、該下部ヘッドの長手方向の長さは  複数の平行な前記取付け溝のそれぞれにおける前記フランジの間隙よりも長く、かつ該下部ヘッドの交差方向の長さは、前記間隙よりも短い、調節可能な支持構造体。
【請求項５】
請求項４記載の調節可能な支持構造体において、前記留め具が回転可能である、調節可能な支持構造体。
【請求項６】
請求項４記載の調節可能な支持構造体において、前記ブラケットの前記取付け部材の前記ラグがネジ部を有し、かつ、複数の平行な前記取付け溝のそれぞれの所望の位置に固定すれための刻み付きナットを受け入れる、調節可能な支持構造体。
【請求項７】
請求項１記載の調節可能な支持構造体において、前記取付け部材が吸盤である、調節可能な支持構造体。
【請求項８】
請求項４記載の調節可能な支持構造体において、前記細長い下部ヘッドは、前記ボードの何れの溝内にも挿入可能であり、かつ、自身の軸線回りに回転させることによって該溝内に保持される、調節可能な支持構造体。
【国際調査報告】
2017518535.tif 000008
2017518535.tif 000009
2017518535.tif 000010
2017518535.tif 000011
2017518535.tif 000012
2017518535.tif 000013